(57)【要約】      （修正有）【課題】建築・工作物に配置された植栽帯からの排水から有機物を除去する保水性竪樋を提供する。【解決手段】上端部から建築・工作物に設置された植栽帯１２０からの排水が流入され、下端部から排水が排出される保水性竪樋５０であって、下端部と上端部との間に配置され、複数の金属線を組み合わせて形成したかご枠体３０と、かご枠体の内部に充填された保水性軽石と、を備える。【選択図】図１
0003227823.tif 000002
【実用新案登録請求の範囲】
【請求項１】
上端部から建築・工作物に設置された植栽帯からの排水が流入され、下端部から前記排水が排出される保水性竪樋であって、
前記上端部と前記下端部との間に配置され、複数の金属線を組み合わせて形成したかご枠体と、
前記かご枠体の内部に充填された保水性軽石と、
を備えることを特徴とする保水性竪樋。
【請求項２】
前記かご枠体の前記下端部から排出される前記排水は、前記建築・工作物の下段に配置された植栽帯に排出されることを特徴とする請求項１に記載の保水性竪樋。
【請求項３】
前記かご枠体の前記金属線は、アルミニウム錫合金線であることを特徴とする請求項１に記載の保水性竪樋。
【請求項４】
前記保水性軽石は、多孔質人造砕石であることを特徴とする請求項１に記載の保水性竪樋。
【請求項５】
前記保水性軽石はガラス廃材から製造した発泡ガラスブロックであることを特徴とする請求項１に記載の保水性竪樋。
【請求項６】
請求項１から請求項５までのいずれか一項に記載の保水性竪樋と植栽帯とを備え、前記保水性竪樋により前記植栽帯からの排水を排出することを特徴とする建築・工作物。
【請求項７】
前記植栽帯は、上段及び下段にそれぞれ備えられ、前記保水性竪樋が前記上段の植栽帯からの排水を前記下段の植栽帯に排出することを特徴とする請求項６に記載の建築・工作物。
【考案の詳細な説明】
【技術分野】
【０００１】
本考案は、建築物や工作物（以下建築・工作物という）に設置される植栽帯の排水に使用される保水性竪樋、及びこれを備えた建築・工作物に関する。
本明細書において「建築物」とは、土地に接着して接地され、屋根及び柱若しくは壁を有する建物をいい、「工作物」とは、土地に接着させて設置した建物以外の人工物をいう。
【背景技術】
【０００２】
近年、都市緑化の要望に応えるため、建築物の屋上、バルコニー、ベランダ、テラス等に植栽帯を設置することがある。この一つの態様として、建築物に段丘状のバルコニーを設置して各バルコニーに植栽帯を配置したものがある。このような植栽帯は、主に降雨水で潅水される。
【０００３】
ここで、植栽帯からの排水には、植栽土や肥料の有機物が含まれることがあり、そのまま下水に排出することができない。よって、植栽帯からの排水を浄化する必要がある。しかし、このような植栽帯からの排水を有効に浄化する装置はなかった。
【０００４】
住宅等の樋からの雨水を浄化して利用する装置として、特許文献１には、筒状の雨水導入部、中間部及び放流水排出部を有する主管と、前記主管の一方側面に中心間隔をおいて穿設された一対の開口に連通された分岐部と合流部間を繋ぐ連結部を有する筒状のバイパス管と、前記分岐部と合流部間で前記バイパス管と重ならない他側面に穿設された開口に連通された筒状の利用水分岐管とを備え、前記中間部の前記分岐部との連通箇所近接位置に網が配設され、前記中間部の前記合流部との連通箇所寄り位置に中心部に排出口を有する受皿が配設され、前記利用水分岐管に着脱可能なろ材が充填された筒状のろ過室が装着され、前記利用水分岐管先端に主利用水排出口を備えた雨水利用樋が記載されている。
【０００５】
また、単に雨水を排出する装置として、特許文献２には、網筒体に吸水性多孔質の充填材が内装された構成の鎖素体を上下に複数個連結してなる鎖樋が記載されている。
【先行技術文献】
【特許文献】
【０００６】
【特許文献１】特開平１０−２０７７号公報
【特許文献２】特開昭５４−１０４０２３号公報
【考案の概要】
【考案が解決しようとする課題】
【０００７】
しかし、特許文献１及び特許文献２を含む従来の技術では、建築・工作物に配置された植栽帯からの排水を有効に処理することができない。
【０００８】
本考案は上述した課題に鑑みてなされたものであり、建築・工作物に配置された植栽帯からの排水から有機物を除去することができる保水性竪樋、及びこれを備えた建築・工作物を提供することを課題とする。
【課題を解決するための手段】
【０００９】
前記課題を解決する請求項１に記載の考案は、上端部から建築・工作物に設置された植栽帯からの排水が流入され、下端部から前記排水が排出される保水性竪樋であって、前記上端部と前記下端部との間に配置され、複数の金属線を組み合わせて形成したかご枠体と、前記かご枠体の内部に充填された保水性軽石と、を備えることを特徴とする保水性竪樋である。
【００１０】
同じく請求項２に記載の考案は、請求項１に記載の保水性竪樋において、前記かご枠体の前記下端部から排出される前記排水は、前記建築・工作物の下段に配置された植栽帯に排出されることを特徴とする。
【００１１】
同じく請求項３に記載の考案は、請求項１に記載の保水性竪樋において、前記かご枠体の前記金属線は、アルミニウム錫合金線であることを特徴とする。
【００１２】
同じく請求項４に記載の考案は、請求項１に記載の保水性竪樋において、前記保水性軽石は、多孔質人造砕石であることを特徴とする。
【００１３】
同じく請求項５に記載の考案は、請求項１に記載の保水性竪樋において、前記保水性軽石はガラス廃材から製造した発泡ガラスブロックであることを特徴とする。
【００１４】
同じく請求項６に記載の考案は、請求項１から請求項５までのいずれか一項に記載の保水性竪樋と植栽帯とを備え、前記保水性竪樋により前記植栽帯からの排水を排出することを特徴とする建築・工作物である。
【００１５】
同じく請求項７に記載の考案は、請求項６に記載の建築・工作物において、前記植栽帯は、上段及び下段にそれぞれ備えられ、前記保水性竪樋が前記上段の植栽帯からの排水を前記下段の植栽帯に排出することを特徴とする。
【考案の効果】
【００１６】
請求項１に係る保水性竪樋によれば、建築・工作物に設置された植栽帯の排水が、保水性竪樋の上端部から保水性軽石が充填されたかご枠体を通過して下端部から排出される。
【００１７】
このとき、保水性竪樋を通過する植栽帯の排水は、かご枠体内の保水性軽石により一時的に保水される。このため、排水中の有機物が保水性軽石に生息する微生物により分解され減少する。また、排水は保水性軽石に一時的に蓄水されるため、雨水が短時間に流出するのが抑制される。更に、本考案によれば、保水性軽石に保持された水が蒸散することにより周辺の空気を冷却するので、都市のヒートアイランド化を抑制できる他、かご枠体を構成する金属線につる植物等を這わせることで都市の緑化を更に促進することができる。
【００１８】
また、請求項２に係る保水性竪樋によれば、かご枠体の下端部は建築・工作物に下段に配置された植栽帯に排水を排出する。このため、多段に配置された植栽帯の上側から下側に至るまでの排水を浄化して順次下段の植栽帯に排出できる。
【００１９】
また、請求項３に係る保水性竪樋によれば、かご枠体がアルミニウム錫合金線で形成されているので、錆や腐食によりかご枠体が損傷することが防止できる。
【００２０】
また、請求項４に係る保水性竪樋によれば、保水性軽石が多孔質人造砕石であるので、容易かつ安価に入手できる。
【００２１】
また、請求項５に記載の保水性竪樋によれば、保水性軽石がガラス廃材から製造した発泡ガラスブロックであるので、軽量であり容易かつ安価に入手できる他、ガラス廃材の有効利用が図れる。
【００２２】
更に、請求項６に係る建築・工作物によれば、建築・工作物に配置した植栽帯からの排水をかご枠体内の保水性軽石に蓄水できるので、排水中の有機物をかご枠体内の保水性軽石に生息する微生物で分解させることにより排水中の有機物を減少させることができる他、雨水流出防止効果を備える。また、本考案に係る建築・工作物は、かご枠体に充填された保水性軽石に保持された水が蒸散するので冷却効果を有し都市のヒートアイランド化を抑制できる他、かご枠体を構成する金属線につる植物等を這わせることで都市の緑化をより促進することができる。
【００２３】
そして、請求項７に係る建築・工作物によれば、建築・工作物に多段に配置した多段の植栽帯からの排水を複数のかご枠体内の保水性軽石に蓄水できるので、排水中の有機物を多段のかご枠体内の保水性軽石に生息する微生物で分解させることにより排水中の有機物を減少させることができる他、大きな雨水流出防止効果を備える。また、本考案に係る建築・工作物によれば、複数のかご枠体に充填された保水性軽石に保持された大量の水が蒸散するので大きな冷却効果を有し都市のヒートアイランド化を抑制できる他、かご枠体を構成する金属線につる植物等を這わせることで都市の緑化をより一層促進することができる。
【図面の簡単な説明】
【００２４】
【図１】本考案の実施形態に係る保水性竪樋を建築・工作物に配置した状態を示す側面図である。
【図２】同保水性竪樋に使用するかご枠体を構成する柱部材とジョイント部材とを示すものであり、（ａ）は柱部材の側面図、（ｂ）は柱部材の平面図、（ｃ）は柱部材の底面図、（ｄ）はジョイント部材の正面図、（ｅ）はジョイント部材の平面図である。
【図３】同保水性竪樋のかご枠体に多孔質人造砕石を充填した状態を示す写真である。
【図４】同保水性竪樋を複数段にわたって設置した植栽帯に配置した状態を示す建築・工作物の一部断面図である。
【図５】同保水性竪樋を複数段にわたって設置した建築物の雨水等の流れを示す建築物の鳥瞰図である。
【考案を実施するための形態】
【００２５】
本考案を実施するための形態に係る保水性竪樋、及びこれを備えた建築・工作物について説明する。
【００２６】
＜保水性竪樋の概略構成＞
まず、保水性竪樋の構成について説明する。図１は本考案の実施形態に係る保水性竪樋を建築物に配置した状態を示す側面図、図２は同保水性竪樋に使用するかご枠体を構成する部材を示すものであり、（ａ）は柱部材の側面図、（ｂ）は柱部材の平面図、（ｃ）は柱部材の底面図、（ｄ）はジョイント部材の正面図、（ｅ）はジョイント部材の平面図、図３は同保水性竪樋のかご枠体に多孔質人造砕石を充填した状態を示す写真である。
【００２７】
本発明の実施形態に係る保水性竪樋５０は、図１及び図３に示すように、縦長の略四角柱状をなす。また、保水性竪樋５０は、略四角柱状の外形を定めるかご枠体３０と、このかご枠体３０内に充填された多孔質人造砕石である保水性軽石４０とから構成されている。なお、保水性竪樋５０は略四角柱状とする他、円柱形状、直方体形状等の柱形状、その他の形状とすることができる。
【００２８】
保水性竪樋５０は、設置される建築物の寸法に応じた高さ寸法に形成されている。本例では、図１に示すように、保水性竪樋５０は、高さ寸法（Ｈ）を３６００ｍｍとしている。そして、本例において、かご枠体３０は、図１に示すように、２つの柱部材１０、即ち上側柱部材１０ａと下側柱部材１０ｂとを、ジョイント部材２０により接合して形成されている。
【００２９】
かご枠体３０の下端部には、下側アングル６２が取り付けられており、この下側アングル６２を下側ボルト６１で建築物１００の下側床部８０に固定する。また、かご枠体３０の上端部には上側アングル６４が取り付けられており、この上側アングル６４を上側ボルト６３で建築物１００のバルコニー１１０に固定する。
【００３０】
建築物１００のバルコニー１１０には、かご枠体３０の取り付け箇所に、排水を保水性竪樋５０に流下させるドレイン１２３が形成されている。植栽帯１２０からの排水は、植栽帯１２０の前壁１２１に開設された通水孔１２６を経て、ドレイン１２３の下部に配置された保水性竪樋５０に流れ込む。そして、この排水は、保水性竪樋５０内の保水性軽石４０に一部が吸収、保水されつつ流下して下側床部８０に流れ出し、更に図示していない排水孔に流入して排出される。なお、かご枠体３０は、上側柱部材１０ａ、下側柱部材１０ｂに分割されない長尺のものとできる。また、かご枠体３０を３つ以上に分割して構成することができる。
【００３１】
＜柱部材＞
柱部材１０である上側柱部材１０ａ、下側柱部材１０ｂは、図２（ａ）、（ｂ）、（ｃ）に示すように、直径４ｍｍのアルミニウム錫合金製の１６本の縦線１１、及び２６本の横線１２を間隔５０ｍｍの格子状に組み合わせて構成されている。これにより、柱部材１０は、外形を略四角柱状とした枠体として形成されている。柱部材１０は、アルミニウム錫合金の線材で構成されているので、錆や腐食により柱部材１０が損傷することを防止できる。なお、柱部材１０は、他の腐食しにくい金属線を組み合わせて作成できる。また、金属線は格子状の組み合わせでなくともよく、スパイラル状とするなど他の組み合わせ様式でもよい。
【００３２】
本例では、柱部材１０は、図２（ａ）に示すように、高さ寸法（ｈ）を１７５４ｍｍ、図２（ｂ）に示すように、幅寸法（ｗ）を２１５ｍｍ、奥行き寸法（ｄ）を２１５ｍｍとしている。
【００３３】
縦線１１は、図２（ａ）に示すように、上下方向に配置される直線状であり、横線１２は、図２（ｂ）に示すように水平方向に配置される全体が略正方形状である。横線１２は線材を曲げ加工して作成されている。
【００３４】
また、柱部材１０の底面は、図２（ｃ）に示すように、略正方形状の横線１２の内部に各３本の底線１３、１４を間隔５０ｍｍの格子状に配置されて構成されている。
【００３５】
柱部材１０において、縦線１１及び横線１２、横線１２、底線１３、１４は、交差する箇所において適宜溶接固定され、内部に保水性軽石４０を充填した状態で安定した形状を保持する。
【００３６】
＜ジョイント部材＞
ジョイント部材２０は、直径４ｍｍのアルミニウム錫合金製の８本のジョイント縦線２１と、５本のジョイント横線２２とを間隔１００ｍｍの格子状に組み合わせて構成されている。ジョイント部材２０は、外形を略四角柱状とした枠体として形成されている。
【００３７】
ジョイント縦線２１は、上下に配置された直線状であり、ジョイント横線２２は、図２（ｂ）に示すように略正方形に曲げ形成されている。ジョイント部材２０は、高さ寸法（ｈ１）が４０８ｍｍ、幅寸法（ｗ１）が１９７ｍｍ、奥行き寸法（ｄ１）が１９７ｍｍとしている。
【００３８】
ジョイント部材２０の各寸法は、柱部材１０の各寸法より小さく、ジョイント部材２０は、付き合わせた上側柱部材１０ａ、下側柱部材１０ｂの内部に配置できる。ジョイント部材２０は、アルミニウム錫合金の線材で構成されるので、錆や腐食によりジョイント部材２０が損傷することを防止できる。なお、ジョイント部材２０は、他の腐食しにくい金属線を組み合わせて作成できる他、金属線は格子状でなくともよく、スパイラル状とするなど他の組み合わせ様式で作成できる。
【００３９】
上側柱部材１０ａ及び下側柱部材１０ｂは、図１に示すように、両者の端部にジョイント部材２０が挿入され、所定の箇所で溶接されて、かご枠体３０を構成する。そして、図３に示すように、内部に保水性軽石４０を充填した状態で、図１に示すように、下側床部８０とバルコニー１１０との間に配置される。なお、保水性軽石４０をかご枠体３０内に充填してから建築物１００に充填する、又は建築物１００にかご枠体３０を設置してドレイン１２３から保水性軽石４０を充填する、ことができ、その一方又は両方を適宜選択することができる。
【００４０】
＜保水性軽石＞
本実施形態において、保水性軽石４０は、例えばガラス廃材から形成した発泡ガラスブロックであり、粒径を例えば６０ｍｍ〜１００ｍｍとしたものである。発泡ガラスブロックは、廃棄されたガラスびん等からリサイクルされた軽量な人造軽石であり、廃ガラスびんを粉砕、焼成発泡して作成される。土壌成分で構成されているため環境に悪影響を与えることなく比重・吸水率を調整でき、軽量性、透水性、保水性、不燃性、断熱性が良好である。なお、保水性軽石として、発泡ガラスブロック以外の人工あるいは天然の保水性軽石を使用することができる。
【００４１】
本実施形態において、植栽帯１２０の植栽用土１２７を通過した雨水等の排水は、通水孔１２６、ドレイン１２３を経て保水性竪樋５０の上端から保水性竪樋５０内に流下する。排水は保水性竪樋５０において、保水性軽石４０にその一部が吸水され保水されている。このため、植栽帯１２０からの排水中の有機物を保水性軽石４０に生息する微生物で分解されることにより減少させることができる。また、排水は保水性軽石４０に一時的に蓄水されるため雨水が短時間に流出するのを抑制することができる。
【００４２】
更に、本実施形態に係る保水性竪樋５０によれば、保水性軽石４０に保持された排水が蒸散することにより周辺の熱を奪い冷却するので都市のヒートアイランド化を抑制できる。また、かご枠体３０を構成する縦線１１、横線１２につる植物等を這わせることで都市の緑化を更に促進することができる。
【００４３】
＜保水性竪樋の建築物への配置＞
次に複数階の植栽帯１２０に保水性竪樋５０を配置する例について説明する。図４は同保水性竪樋を複数段にわたって設置した植栽帯に配置した状態を示す建築物の一部断面図である。
【００４４】
本例では、建築物１００の２階、３階、４階にそれぞれバルコニー１１０、１１０、１１０が段丘状に配置されている。また、各バルコニー１１０には、植物１３０が植えられた植栽帯１２０、１２０、１２０が設置されている。各植栽帯１２０は、前壁１２１と後壁１２２との間に植栽用土１２７が充填されており、前壁１２１には、植栽帯１２０の排水をドレイン１２３に流す通水孔１２６が開設されている。なお、前壁１２１には、手摺り１２８が配置されている他、各バルコニー１１０には防水層が形成されている。
【００４５】
また、各植栽帯１２０には、保水性竪樋５０を経て排出される上側の植栽帯１２０からの排水を受ける雨受１２５が設置されている。雨受１２５には、砂利が敷設されている。
【００４６】
各バルコニー１１０の間には、保水性竪樋５０が配置されている。保水性竪樋５０は、上側のバルコニー１１０の下面におけるドレイン１２３配置箇所から下側の植栽帯１２０の雨受１２５まで配置されている。
【００４７】
４階及び３階のバルコニー１１０の植栽帯１２０からの排水は、下階である３階及び２階のバルコニー１１０の植栽帯１２０の雨受１２５に排出される。そして、２階のバルコニー１１０の植栽帯１２０からの排水は２階のバルコニー１１０に設けられた排水口１２４から排出される。
【００４８】
本例に係る建築物１００では、植栽帯１２０以外への降雨は、各階に上下方向に配置された雨水樋１１２から雨水ドレイン１１１に流れ込み、中水として利用される。そして、本例では、排水口１２４に集めた植栽帯１２０を経た排水は、雨水樋１１２からの雨水とあわせて中水管１１３に流れ、中水として利用される。
【００４９】
本実施形態に係る建築物１００によれば、それぞれ植栽帯１２０の排水は、通水孔１２６、ドレイン１２３を経て保水性竪樋５０に流下し、下段の植栽帯１２０に排出される。このとき、植栽帯１２０からの排水は保水性軽石４０にその一部が吸水、保水される。このため、排水中の有機物が保水性軽石４０に生息する微生物で分解されることにより減少する。また、排水は保水性軽石４０に一時的に蓄水されるため雨水が短時間に流出するのを防止できる。
【００５０】
更に、本実施形態に係る保水性竪樋５０によれば、保水性軽石４０に保持された排水が蒸散することにより周辺を冷却するので、都市のヒートアイランド化を抑制できる他、かご枠体３０を構成する金属線につる植物等を這わせることで都市の緑化を更に促進することができる。
【００５１】
＜大規模な建築物＞
次に大規模な建築物２００において多数の箇所に保水性竪樋５０を配置した例について説明する。図５は同保水性竪樋を複数段にわたって設置した建築物の雨水等の流れを示す建築物の鳥瞰図である。図５は降雨状態における建築物２００周辺における雨水の流れを示している。
【００５２】
本例に係る建築物２００は、４階建てのものであり、屋上と各階の周囲に沿ってバルコニー１１０を段丘状に設置している。また、各バルコニー１１０には、バルコニー１１０に沿って多数の植栽帯１２０を配置している。そして、上階の植栽帯１２０と、下階の植栽帯１２０との間に多数の保水性竪樋５０を配置している。
【００５３】
本実施形態では、２階の植栽帯１２０からの保水性竪樋５０からの排水を浸透管２１０に集積して、地中に浸透させる構成としている。なお、建築物２００の周囲の地表面には、親水性舗装２２０が施工され、緑地２３０が配置されている。
【００５４】
従って、本実施形態に係る建築物２００は、全体として、広い面積の植栽帯１２０を備えるものであり、この植栽帯１２０を通過した大量の排水を浄化して、地中に浸透させることができる。このため、下水システムに大きな負荷をかけることがない。
【００５５】
また、多数の植栽帯１２０及び多数の保水性竪樋５０で大量の雨水を保持できるので、都市洪水を防止することができる他、多数の保水性竪樋５０内の保水した保水性軽石４０からの排水の蒸散や、植栽帯１２０による冷却効果を有し、ヒートアイランド化を防止することができる。
【００５６】
更に、植栽帯１２０や緑地２３０の他、保水性竪樋５０の柱部材１０につる植物を這わせることができ、都市の緑化を更に推進することができる。
上記各実施の形態にあっては、本件考案に係る保水性竪樋を建築物に適用した場合を例に説明したが、上記実施の形態に限定されず、建物以外の、広告塔、大型看板、地下へのスロープ構造物等の、いわゆる工作物に適用してもよい。
【産業上の利用可能性】
【００５７】
本考案に係る保水性竪樋によれば、建築・工作物に配置した植栽帯の排水は、かご枠体内の保水性軽石により一時的に保水され、排水中の有機物が保水性軽石に生息する微生物で分解されて減少する他、冷却効果、緑化促進効果を備えるので、産業上の利用可能性がある。
【符号の説明】
【００５８】
１０：柱部材
１０ａ：上側柱部材（柱部材）
１０ｂ：下側柱部材（柱部材）
１１：縦線
１２：横線
１３、１４：底線
２０：ジョイント部材
２１：ジョイント縦線
２２：ジョイント横線
３０：かご枠体
４０：保水性軽石
５０：保水性竪樋
６１：下側ボルト
６２：下側アングル
６３：上側ボルト
６４：上側アングル
８０：下側床部
１００：建築物
１１０：バルコニー
１１１：雨水ドレイン
１１２：雨水樋
１１３：中水管
１２０：植栽帯
１２１：前壁
１２２：後壁
１２３：ドレイン
１２４：排水口
１２５：雨受
１２６：通水孔
１２７：植栽用土
１２８：手摺り
１３０：植物
２００：大規模な建築物
２１０：浸透管
２２０：親水性舗装
２３０：緑地
【図１】
0003227823.tif 000003
【図２】
0003227823.tif 000004
【図３】
0003227823.tif 000005
【図４】
0003227823.tif 000006
【図５】
0003227823.tif 000007